(57)【要約】【目的】  テーブル周囲の自由な場所から情報端末を操作することができる情報端末用テーブルの実現を課題とする。【構成】  ガラス等の透明部材から構成される透明テーブル１と、この透明テーブル１を一端で支持する支持ステイ４と、支持ステイ４の他端が固着された脚部と、脚部の上面に回転自在に載置された収納ボックス２とを有し、収納ボックス２中に情報端末をそのディスプレイ画面６が透明テーブル１越しに見えるように載置する。【選択図】  図１
2006087561.tif 000002
【特許請求の範囲】
【請求項１】
情報端末を操作可能に収納する情報端末用テーブルにおいて、
ガラス等の透明部材から構成される天板部と、
前記天板部を一端で支持する支持ステイ部と、
前記支持ステイ部の他端が固着されテーブル全体を支持する脚部と、
前記脚部の上面に回転自在に載置された情報端末収納部と
を有することを特徴とする情報端末用テーブル。
【請求項２】
前記情報端末収納部は、そのディスプレイが前記天板部に向いて設けられた情報端末と、該情報端末を収納する収納ボックスと、前記情報端末のキーボードを載置するキーボード台と、前記収納ボックスに固着されている前記情報端末の利用料金徴収手段と、前記情報端末を前記脚部に設けられた端子に電気的に接続するスライド接点とを具備することを特徴とする請求項1に記載の情報端末用テーブル。
【請求項３】
前記情報端末収納部は、無線ＬＡＮ用通信アダプターを有することを特徴とする請求項１又は請求項２に記載の情報端末用テーブル。
【発明の詳細な説明】
【技術分野】
【０００１】
本発明は、情報端末用テーブルに関し、特にインターネットカフェなどで用いられるのに適した情報端末用テーブルに関する。
【背景技術】
【０００２】
喫茶店店内でインターネットに接続したパソコンなどの情報端末を顧客に提供し、インターネットを介して遊べることを付加価値サービスとし、情報端末の使用時間に応じて料金を徴収するインターネットカフェが生まれている。
このようなインターネットカフェでは机１つに一台の情報端末が備え付けられ、この一台の情報端末を複数の利用者が交互に利用するような場合が多い。しかしながら、従来は情報端末とコインシューターなどの料金投入口は固定されていて、複数の人間が利用する場合には座席を代わらなければならないという問題があった。
【０００３】
過去のインターネットカフェ関連の技術としては、最初は通常のインターネット操作をできないようにしておき、インターネット及びコンテンツの接続申込と飲食の注文を同時に受け付け、インターネット接続の申込を受け付けたときのみ接続を行うようにする運営方法（特許文献１参照。）、横長のディスプレイを用い、インターネット使用中もディスプレイの半分に広告を表示する運営方法（特許文献２参照。）、プリペイドカード、キャッシュカード、デビットカード、貨幣、紙幣を利用可能にし、利用可能残高や料金を表示する課金方式（特許文献３参照。）などの報告がなされているが、インターネットカフェで用いられるのに適した情報端末用テーブルに関する報告は見られない。
【特許文献１】特開２００３−３０５４９号公報
【特許文献２】特開２００３−１０８６５４号公報
【特許文献３】特開２００２−７３２４号公報
【発明の開示】
【発明が解決しようとする課題】
【０００４】
従来の情報端末用のテーブルでは、情報端末操作者の着席位置が固定されているため、インターネットカフェなどで情報端末を多数の人間が交互に操作しようとする場合にはいちいち座席を変わらねばならないという問題があった。また、テーブルの向きを変えて移動させるとすると、テーブル上のカップなども一緒に移動してしまうという不都合があった。
本発明は、この問題を比較的簡単な方法で解決して、テーブル周囲の自由な場所から情報端末を操作することができる情報端末用テーブルの実現を課題とする。
【課題を解決するための手段】
【０００５】
上記問題を解決するため本発明の請求項１では、情報端末を操作可能に収納する情報端末用テーブルにおいて、ガラス等の透明部材から構成される天板部と、前記天板部を一端で支持する支持ステイ部と、前記支持ステイ部の他端が固着されテーブル全体を支持する脚部と、前記脚部の上面に回転自在に載置された情報端末収納部とを有することを特徴とする。
【０００６】
また、上記問題を解決するため本発明の請求項２では、請求項1に記載の情報端末用テーブルにおいて、前記情報端末収納部は、そのディスプレイが前記天板部に向いて設けられた情報端末と、この情報端末を収納する収納ボックスと、前記情報端末のキーボードを載置するキーボード台と、前記収納ボックスに固着されている前記情報端末の利用料金徴収手段と、前記情報端末を前記脚部に設けられた端子に電気的に接続するスライド接点とを具備することを特徴とする。
【０００７】
またさらに、上記問題を解決するため本発明の請求項３では、請求項1又は請求項２に記載の情報端末用テーブルにおいて、前記情報端末収納部は、無線ＬＡＮ用通信アダプターを有することを特徴とする。
【発明の効果】
【０００８】
本発明の情報端末用テーブルは以上のように構成したので、テーブルの周囲の任意の位置で情報端末を操作することができ、操作性が格段に向上し、ことにインターネットカフェなどで多数の人間が１台の情報端末を交互に操作する場合などに適している。
情報端末収納部を回転させても、天板は回転しないので、テーブル上のコーヒカップや筆記部などは移動することがなく、テーブル上のものが混乱することはない。
また、無線ＬＡＮ用通信アダプターを有することで、電源配線のみで情報端末を使用できるので設置に関しての設備工事が簡単である。
【発明を実施するための最良の形態】
【０００９】
図１に、本発明の情報端末用テーブルの上面図、図２にその側面図を示す。図１及び図２において、符号１は透明ガラステーブル、符号２は情報端末（図示せず）を収納する収納ボックス、符号３は情報端末を操作するためのキーボード（図示せず）を載置するとともにスライドさせて収納ボックス２内に収納させるキーボードスライド、符号４は透明ガラステーブル１を支持するガラステーブル支持ステイ、符号５はC型のガラステーブル受金物、符号６は情報端末のディスプレイ画面、符号７は情報端末の利用料金を徴収するための情報端末に固着されたコインシュータ、符号８は脚部、符号９は回転部である。
【００１０】
透明ガラステーブル１は４本のガラステーブル支持ステイ４の先端部に設けられたC型のガラステーブル受金物５の受け部に挟まれて支持されている。ガラステーブル支持ステイ４の他端は脚部８に固定されている。脚部８は上下にスライドして高さを調整することができる。
透明ガラステーブル１の下には収納ボックス２に収められた情報端末が置かれており、情報端末の操作者はそのディスプレイ画面６を透明ガラステーブル１越しに観測できるようになっている。
収納ボックス２は回転部9上に３６０°回転可能に載置されている。回転部９には図示しないスライド接点が設けられており、このスライド接点を介して電源が情報端末に供給されている。
なお、スライド接点のように、収納ボックス２の無限回転が可能な手段を用いる代わりに、例えば、フレキシブルケーブルを用いて脚部８に設けられた電源及び通信端子に電気的に接続させ、回転部９が有限的にしか回転しないような構成としても良い。この場合は、収納ボックス２の回転をフレキシブルケーブルの長さの範囲に制限することが必要になる。
情報端末はまた、無線ＬＡＮ用通信アダプターを介してＬＡＮに、さらに外部のネットワークに接続されている。あるいは、スライド接点を介して有線ＬＡＮに接続されても良い。また、上記の例では、情報端末の利用料金の徴収手段としてコインシュータ７を備えた構成としているが、これに限られるものではなく、例えば、プリペイドカードを読み取るプリペイドカード読み取り機を収納ボックス２に固着し、それにより情報端末の利用料金を徴収するようにしても良い。
【００１１】
図３に、本発明の情報端末用テーブルを用いてインターネット接続などを行なう場合の操作のフローチャートを示す。
情報端末を操作する場合は、操作者は収納ボックス２を回転させて情報端末を自分の前に持ってきて（図３ステップ１）、キーボードスライド３を引き出して（図３ステップ２）キーボードやマウス手近に操作しやすい位置におく。そうしてコインシュータに所定の金額１００円硬貨を投入する（図３ステップ３）。これにより、ディスプレイ画面６に初期画面が表示されるので、以下は、画面にしたがって操作を行なう（図３ステップ４）。収納ボックス２を回転させても、透明ガラステーブル１は回転しないので、テーブル上に置かれた筆記具やカップなどが移動することはない。
【００１２】
他の人に操作を代わる場合は（図３ステップ５）、収納ボックス２を回転させて新しい操作者のほうに情報端末を向ける（図３ステップ６）。
投入硬貨での操作時間が終了した場合（図３ステップ７）、操作を継続する場合は（図３ステップ８）、ステップ３に戻ってコインシュータに１００円硬貨を投入する。
【００１３】
このように、本発明の情報端末用テーブルは、透明ガラステーブル１の下に回転可能な収納ボックス２を設けた構成としたので、比較的簡単で小型で移動が自由で、テーブル周囲の多方面から操作でき、操作性に優れ、ことにインターネットカフェなどで多数の人間が１台の情報端末を用いる場合に適した構成になっている。
情報端末を使用しない場合は、キーボードスライド３を収納しておけるので、邪魔にならず、通常のテーブルと同様に用いることができ、また、ディスプレイ画面６には、広告やテレビ画面などを表示することもできるので、広告媒体やテレビ受信機としても用いることができ、それによる広告効果や集客効果が見込めるなどの利点がある。
【産業上の利用可能性】
【００１４】
本発明の本発明の情報端末用テーブルは、上述のように比較的簡便な構成であり電源のみを用意すれば自由に設置することができるので、インターネットカフェに用いるのは勿論、空港や駅、公共施設の待合室やゲームセンターやビジネスホテルなど広範囲な場所に設置して広く用いることができ、産業上の利用に可能性が大きい。
【図面の簡単な説明】
【００１５】
【図１】本発明の情報端末用テーブルの上面図である。
【図２】本発明の情報端末用テーブルの側面図である。
【図３】本発明の情報端末用テーブルを用いてインターネット接続などを行なう場合の操作のフローチャートである。
【符号の説明】
【００１６】
１  透明ガラステーブル
２  収納ボックス
３  キーボードスライド
４  ガラステーブル支持ステイ
５  C型ガラステーブル受金物
６  情報端末のディスプレイ画面
７  コインシュータ
８  脚部
９  回転部
【図１】
2006087561.tif 000003
【図２】
2006087561.tif 000004
【図３】
2006087561.tif 000005